(57)【要約】【課題】少なくとも一つの認証装置によるユーザーに対する表示の工夫によりセキュリティ強度を高くすることができる認証技術を提供する。【解決手段】認証装置は、記憶部と、表示制御部と、入力情報生成部と、実行部と、を備える。前記記憶部は、認証情報を記憶する。前記表示制御部は、第１の認証方式に対応する入力を促す表示を表示部に行わせる。前記入力情報生成部は、入力部が受け付けたユーザー操作に基づいて入力情報を生成する。前記実行部は、前記認証情報と前記入力情報とを比較して、前記第１の認証方式とは異なる第２の認証方式での認証を実行する。【選択図】図１
2019046139.tif 000002
【特許請求の範囲】
【請求項１】
認証情報を記憶する記憶部と、
第１の認証方式に対応する入力を促す表示を表示部に行わせる表示制御部と、
入力部が受け付けたユーザー操作に基づいて入力情報を生成する入力情報生成部と、
前記認証情報と前記入力情報とを比較して、前記第１の認証方式とは異なる第２の認証方式での認証を実行する実行部と、
を備える、認証装置。
【請求項２】
前記第１の認証方式は指紋認証方式であり、前記第２の認証方式での認証は暗証番号認証である、請求項１に記載の認証装置。
【請求項３】
前記入力部は、接触を検知して前記ユーザー操作を受け付け、
前記入力情報生成部は、前記接触の時間に基づいて前記入力情報を生成し、
ユーザーが前記接触の時間を把握することを支援する報知を報知部に行わせる報知制御部をさらに備える、請求項２に記載の認証装置。
【請求項４】
前記第２の認証方式での認証は、暗証番号及び前記暗証番号に紐づけられた付属情報を用いた認証であり、
前記入力情報生成部は、前記接触の面積にも基づいて前記入力情報を生成する、請求項３に記載の認証装置。
【請求項５】
前記入力部が受け付けた前記ユーザー操作に基づいて前記認証情報を生成する認証情報生成部をさらに備え、
前記表示制御部は、前記第１の認証方式に対応する態様で前記認証情報の設定を促す表示を前記表示部に行わせ、
前記認証情報生成部は、前記表示制御部が前記第１の認証方式に対応する態様で前記認証情報の設定を促す表示を前記表示部に行わせているときに前記入力部が受け付けた前記ユーザー操作に基づいて、前記認証情報を生成する、請求項１〜４のいずれか一項に記載の認証装置。
【請求項６】
前記表示制御部は、前記認証装置によってセキュリティ性を高めることが可能な機器の状況に基づいて、前記第１の認証方式に対応する入力を促す表示を表示部に行わせるか否かを切り替えて前記セキュリティ性の度合いを調整する、請求項１〜５のいずれか一項に記載の認証装置。
【請求項７】
第１の認証方式に対応する入力を促す表示を表示部に行わせる表示制御工程と、
入力部が受け付けたユーザー操作に基づいて入力情報を生成する入力情報生成工程と、
記憶部に記憶されている認証情報と前記入力情報とを比較して、前記第１の認証方式とは異なる第２の認証方式での認証を実行する実行工程と、
を備える、認証方法。
【発明の詳細な説明】
【技術分野】
【０００１】
本発明は、ユーザーを認証する技術に関する。
【背景技術】
【０００２】
暗証番号の入力によってユーザーを認証する認証装置が広く普及している。
【先行技術文献】
【特許文献】
【０００３】
【特許文献１】特開２０００−９９８０１号公報
【発明の概要】
【発明が解決しようとする課題】
【０００４】
しかしながら、暗証番号が数字のみによって構成されているため、暗証番号の入力によってユーザーを認証する認証装置は、セキュリティ強度が低いという問題を有している。
【０００５】
セキュリティ強度を高める方策としては、暗証番号の入力による認証の代わりに、暗証番号の入力による認証よりもセキュリティ強度が高い認証を採用することが考えられる。暗証番号の入力による認証よりもセキュリティ強度が高い認証としては、例えば指紋、静脈、虹彩などを利用した生体認証を挙げることができる。
【０００６】
ところが、セキュリティ強度が高い認証を行う認証装置には、一般的にコストが高いというデメリットがある。例えば生体認証を行う認証装置は生体認証専用のセンサが必要となるためコストが高くなる。
【０００７】
なお、本願に関連する文献としては特許文献１がある。
【０００８】
本発明は、上記課題に鑑みて、少なくとも一つの認証装置によるユーザーに対する表示の工夫によりセキュリティ強度を高くすることができる認証技術を提供することを目的とする。
【課題を解決するための手段】
【０００９】
本発明に係る認証装置は、認証情報を記憶する記憶部と、第１の認証方式に対応する入力を促す表示を表示部に行わせる表示制御部と、入力部が受け付けたユーザー操作に基づいて入力情報を生成する入力情報生成部と、前記認証情報と前記入力情報とを比較して、前記第１の認証方式とは異なる第２の認証方式での認証を実行する実行部と、を備える構成（第１の構成）である。
【００１０】
上記第１の構成の認証装置において、前記第１の認証方式は指紋認証方式であり、前記第２の認証方式での認証は暗証番号認証である構成（第２の構成）であってもよい。
【００１１】
上記第２の構成の認証装置において、前記入力部は、接触を検知して前記ユーザー操作を受け付け、前記入力情報生成部は、前記接触の時間に基づいて前記入力情報を生成し、ユーザーが前記接触の時間を把握することを支援する報知を報知部に行わせる報知制御部をさらに備える構成（第３の構成）であってもよい。
【００１２】
上記第３の構成の認証装置において、前記第２の認証方式での認証は、暗証番号及び前記暗証番号に紐づけられた付属情報を用いた認証であり、前記入力情報生成部は、前記接触の面積にも基づいて前記入力情報を生成する構成（第４の構成）であってもよい。
【００１３】
上記第１〜第４いずれかの構成の認証装置において、前記入力部が受け付けた前記ユーザー操作に基づいて前記認証情報を生成する認証情報生成部をさらに備え、前記表示制御部は、前記第１の認証方式に対応する態様で前記認証情報の設定を促す表示を前記表示部に行わせ、前記認証情報生成部は、前記表示制御部が前記第１の認証方式に対応する態様で前記認証情報の設定を促す表示を前記表示部に行わせているときに前記入力部が受け付けた前記ユーザー操作に基づいて、前記認証情報を生成する構成（第５の構成）であってもよい。
【００１４】
上記第１〜第５いずれかの構成の認証装置において、前記表示制御部は、前記認証装置によってセキュリティ性を高めることが可能な機器の状況に基づいて、前記第１の認証方式に対応する入力を促す表示を表示部に行わせるか否かを切り替えて前記セキュリティ性の度合いを調整する構成（第６の構成）であってもよい。
【００１５】
本発明に係る認証方法は、第１の認証方式に対応する入力を促す表示を表示部に行わせる表示制御工程と、入力部が受け付けたユーザー操作に基づいて入力情報を生成する入力情報生成工程と、記憶部に記憶されている認証情報と前記入力情報とを比較して、前記第１の認証方式とは異なる第２の認証方式での認証を実行する実行工程と、を備える構成（第７の構成）である。
【発明の効果】
【００１６】
本発明に係る認証技術によると、少なくとも一つの認証装置によるユーザーに対する表示の工夫によりセキュリティ強度を高くすることができる。
【図面の簡単な説明】
【００１７】
【図１】第１実施形態に係る認証装置の構成を示す図
【図２】認証情報の設定動作の流れを示すフローチャート
【図３】設定入力画面の例を示す図
【図４】認証動作の流れを示すフローチャート
【図５】入力画面の例を示す図
【図６】暗証番号の入力完了を判定する処理の一例を示すフローチャート
【図７】第２実施形態に係る認証装置の構成を示す図
【図８】第６実施形態に係る認証装置の構成を示す図
【発明を実施するための形態】
【００１８】
以下、本発明の例示的な実施形態について、図面を参照しながら詳細に説明する。
【００１９】
＜１．第１実施形態＞
＜１−１．認証装置の構成＞
図１は本実施形態に係る認証装置１ａの構成を示す図である。認証装置１ａは、例えば自動車などの車両に搭載され、ナビゲーション装置に内蔵されてナビゲーション装置のセキュリティ性を高めるために利用される。例えば、ナビゲーション装置において特定の設定を変更する際には、認証装置１ａでの認証に成功する必要があるようにすればよい。認証装置１ａは、第１の認証方式の一例として指紋認証方式を採用し、第２の認証方式の一例として暗証番号認証方式を採用する。第１の認証方式と第２の認証方式とは互いに異なる認証方式である。具体的には、第１の認証方式での認証において確認される対象と、第２の認証方式での認証において確認される対象とが互いに異なる。例えば、指紋認証において確認される対象は指紋の特徴点であり、暗証番号認証において確認される対象は数字である。このように認証装置１ａは、確認の対象（セキュリティを解除するための方法）の異なる複数の認証方式を用いる。
【００２０】
認証装置１ａは、制御部１１と、記憶部１２と、を備える。
【００２１】
制御部１１は、図示しないＣＰＵ（Central Processing Unit）、ＲＡＭ（Random Access Memory）、及びＲＯＭ（Read Only Memory）を備えるコンピュータである。制御部１１は、認証装置１ａが備える記憶部１２と接続され、記憶部１２に記憶されたプログラム１２ａに基づいて動作する。また、制御部１１は、表示部２及び入力部３と接続される。
【００２２】
制御部１１は、表示制御部１１ａと、入力情報生成部１１ｂと、実行部１１ｃと、認証情報生成部１１ｄと、を備える。記憶部１２に記憶されたプログラム１２ａにしたがってＣＰＵが演算処理を実行することにより、表示制御部１１ａ等の制御部１１の各種機能が実現される。
【００２３】
表示制御部１１ａは、画像を表示部２に表示させる制御を行う。
【００２４】
入力情報生成部１１ｂは、入力部３が受け付けたユーザー操作に基づいて入力情報を生成する。
【００２５】
実行部１１ｃは、記憶部１２に記憶された認証情報と入力情報生成部１１ｂによって生成された入力情報とを比較して認証を実行する。
【００２６】
認証情報生成部１１ｄは、入力部３が受け付けたユーザー操作に基づいて認証情報を生成する。
【００２７】
記憶部１２は、プログラム１２ａ及び認証情報１２ｂを不揮発的に記憶している。記憶部１２としては、例えば、ＥＥＰＲＯＭ、フラッシュメモリ、ハードディスクドライブ等を用いることができる。また、記憶部１２の一部又は全部を、ＳＤメモリカード（登録商標）、ＵＳＢ（Universal Serial Bus）メモリ等の可搬型記憶媒体で構成し、認証装置１ａの本体に対して装脱着可能にしてもよい。
【００２８】
プログラム１２ａは、制御部１１により読み出され、制御部１１の各種機能を実現するために実行される、いわゆるシステムソフトウェアである。認証情報１２ｂは、認証情報生成部１１ｄによって認証情報が生成される度に更新される。
【００２９】
表示部２は、画像を表示する表示装置である。表示部２としては、例えば、液晶ディスプレイ、有機ＥＬ（Electro Luminescence）ディスプレイ、画像をフロントガラスに投影するヘッドアップディスプレイ等を用いることができる。
【００３０】
入力部３は、ユーザー操作を受け付ける装置である。入力部３としては、例えば、表示部２と一体になっているタッチパネル、表示部２から離れた位置に配置されるタッチパッド等を用いることができる。以下の説明では、入力部３が表示部２と一体になっているタッチパネルである場合を例に挙げて各種動作について説明する。
【００３１】
＜１−２．認証情報の設定動作＞
図２は、認証装置１ａが実行する認証情報の設定動作の流れを示すフローチャートである。本実施形態では、認証情報は４桁の暗証番号を示す情報である。暗証番号の桁数としては、４桁が最も一般的であるため、本実施形態では４桁を採用しているが、他の桁数であってもよい。また、認証装置１ａが認証情報の設定動作を開始するには、認証装置１ａでの認証に成功する必要があるようにすることが望ましい。
【００３２】
認証装置１ａが認証情報の設定動作を開始すると、表示制御部１１ａは表示部２に図３に示す設定入力画面を表示させる（ステップＳ１）。図３に示す設定入力画面は、テンキーＫ１と、「決定」キーＫ２と、「リセット」キーＫ３と、「戻る」キーＫ４と、を含む表示画面である。なお、本実施形態では、テンキーＫ１の「０」キー、「６」キー〜「９」キーを無効キーとし、無効キーであることをユーザーに知らせるために、「０」キー、「６」キー〜「９」キーをグレー表示にする。ユーザーは暗証番号の入力内容を訂正したい場合に「リセット」キーＫ３を指でタッチすることで、暗証番号の入力を最初からやり直すことができる。また、ユーザーは認証情報の設定を中止したい場合に「戻る」キーＫ４を指でタッチすることで、表示部２の表示を認証情報の設定動作を開始する直前の表示に戻すことができる。ステップＳ２及びステップＳ３の処理中に「戻る」キーＫ４がタッチされた場合、認証情報の設定動作は強制的に終了される。
【００３３】
ステップＳ１に続くステップＳ２において、認証情報生成部１１ｄは、４桁の暗証番号の入力が完了したか否かを判定する。
【００３４】
４桁の暗証番号の入力が完了している場合、認証情報生成部１１ｄは、「決定」キーＫ２がタッチされたか否かを判定する（ステップＳ３）。
【００３５】
「決定」キーＫ２がタッチされた場合、認証情報生成部１１ｄは、入力された４桁の暗証番号を示す情報である認証情報を生成し（ステップＳ４）、記憶部１２が記憶している認証情報１２ｂを、認証情報生成部１１ｄが生成した認証情報に更新する（ステップＳ５）。なお、認証装置１ａの工場出荷段階では、所定の暗証番号（例えば「１」、「１」、「１」、「１」など）を示す情報が認証情報１２ｂとして記憶部１２に記憶される。
【００３６】
ステップＳ５の処理が終了すると、認証情報の設定動作が終了する。
【００３７】
＜１−３．認証動作＞
図４は、認証装置１ａが実行する認証動作の流れを示すフローチャートである。
【００３８】
認証装置１ａが認証動作を開始すると、表示制御部１１ａは表示部２に図５に示す入力画面を表示させる（ステップＳ１１）。図５に示す入力画面は、指紋認証に対応する入力を促す表示画面であって、指の腹を模した画像１０１〜１０４と、「決定」キーＫ２と、「リセット」キーＫ３と、「戻る」キーＫ４と、を含む表示画面である。「決定」キーＫ２、「リセット」キーＫ３、及び「戻る」キーＫ４の各機能は、図３に示す設定入力画面の場合と同様である。
【００３９】
認証装置１ａは実際には暗証番号認証を実行するけれども、図５に示す入力画面ではあたかも指紋認証を実行するかのように思わせることができる。したがって、第三者が操作者の動作を観察する場面に限定されずに、認証装置１ａの取扱説明書等を入手していない第三者に対して認証装置１ａのセキュリティ強度を高くすることができる。また、暗証番号認証、指紋認証ともに指の腹を用いた入力が行われるため、認証装置１ａの取扱説明書等を入手していない第三者に対して暗証番号認証ではなく指紋認証であると思わせることが容易である。
【００４０】
ステップＳ１１に続くステップＳ１２において、入力情報生成部１１ｂは、４桁の暗証番号の入力が完了したか否かを判定する。ステップＳ１２の処理の具体例としては、例えば図６に示す処理を行えばよい。
【００４１】
図６に示す処理において、入力情報生成部１１ｂは、まず内部パラメータｎを１にする（ステップＳ１２−１）。次に、入力情報生成部１１ｂは、左からｎ番目の画像（例えばｎ＝１の場合は図５中の画像１０１）にユーザーの指が接触している時間を検出する（ステップＳ１２−２）。そして、入力情報生成部１１ｂは、ステップＳ１２−１で検出した接触時間をｎ番目の数字として一時的に記憶する（ステップＳ１２−３）。例えば接触時間が３秒であれば、入力情報生成部１１ｂはｎ番目の数字として「３」を一時的に記憶する。次に、入力情報生成部１１ｂは、内部パラメータｎが４であるか否かを判定する（ステップＳ１２−４）。内部パラメータｎが４でなければ、入力情報生成部１１ｂは、内部パラメータｎの値を１つ大きくし（ステップＳ１２−５）、ステップＳ１２−２の処理に戻る。一方、内部パラメータｎが４であれば、図４中のステップＳ１３に移行する。
【００４２】
図６に示す処理を行うことによって、入力情報生成部１１ｂは、後述するステップＳ１４において、接触時間に基づいて入力情報を生成することになる。このように接触時間による数字入力を行った場合、ユーザーが指を頻繁に動かす必要がないため、ユーザーに過度な操作負担がかからない。
【００４３】
また、本実施形態では１〜５秒に接触時間を限定しているため、誤入力が少なくなる。例えば、ユーザーが接触時間を９秒にして数字「９」を入力しようとした場合、ユーザーが接触時間を５秒にして数字「５」を入力しようとした場合に比べて、実際の接触時間と目標とした時間との差が大きくなる可能性が高くなる。なお、１〜５秒の限定は一例であるため、他の秒数で限定してもよい。
【００４４】
図４に戻ってステップＳ１３以降について説明する。４桁の暗証番号の入力が完了している場合、入力情報生成部１１ｂは、「決定」キーＫ２がタッチされたか否かを判定する（ステップＳ１３）。
【００４５】
「決定」キーＫ２がタッチされた場合、入力情報生成部１１ｂは、入力された４桁の暗証番号を示す情報である入力情報を生成する（ステップＳ１４）。
【００４６】
ステップＳ１４に続くステップＳ１５において、実行部１１ｃは、記憶部１２に記憶されている認証情報１２ｂとステップＳ１４において生成された入力情報とを比較して、暗証番号認証を行い、認証が成功（暗証番号の一致）したか失敗（暗証番号の不一致）したかを判定する。
【００４７】
認証が成功した場合、認証装置１ａによってセキュリティ解除が実行され（ステップＳ２０）、その後認証動作が終了する。
【００４８】
一方、認証が失敗した場合、実行部１１ｃは、認証失敗回数が５回に達したか否かを判定する（ステップＳ１６）。認証失敗回数が５回に達していなければ、ステップＳ１２に戻る。認証失敗回数が５回に達していれば、制御部１１は、認証装置１ａの状態を暗証番号の入力を受け付けないロック状態する（ステップＳ１７）。
【００４９】
ステップＳ１７に続くステップＳ１８において、表示制御部１１ａは、前回のロック解除コードを表示部２に表示させる。前回のロック解除コードは例えば記憶部１２に記憶しておけばよい。なお、ステップＳ１７のロック状態が１回目のロック状態であれば、前回のロック解除コードは工場出荷時に記憶部１２に記憶している初期ロック解除コードとすればよい。
【００５０】
ユーザーは、前回のロック解除コード及びその他の必要な情報を認証装置１ａの販売会社等に連絡することで、認証装置１ａの販売会社等から今回のロック解除コードの情報を取得し、入力部３を用いて今回のロック解除コードを入力する。
【００５１】
ステップＳ１８に続くステップＳ１９において、制御部１１は、今回のロック解除コードの入力が有ったか否かを判定する。今回のロック解除コードの入力がなければ、ステップＳ１７に戻り、今回のロック解除コードの入力があれば、ステップＳ２０に移行する。
【００５２】
以上説明した本実施形態に係る認証装置１ａは、認証情報が設定された後の認証動作において、第１の認証方式に対応する入力を促す入力画面を表示部２に表示させ、第１の認証方式とは異なる第２の認証方式での認証を実行することにより、セキュリティ性を高めることができる。つまり、真のユーザーでない第三者は、セキュリティ解除に必要な正しい認証方式（第２の認証方式）を理解していないので、入力画面から連想される誤った認証方式（第１の認証方式）に惑わされてセキュリティを解除することが非常に困難になる。一方、真のユーザーは、セキュリティ解除に必要な正しい認証方式（第２の認証方式）を理解しているので、入力画面から連想される誤った認証方式（第１の認証方式）に惑わされることなく適正にセキュリティを解除することができる。
【００５３】
＜２．第２実施形態＞
図７は本実施形態に係る認証装置１ｂの構成を示す図である。認証装置１ｂは、制御部１１が音声制御部１１ｅを備え、制御部１１が音声出力部４と接続される点で認証装置１ａと相違し、それ以外の点については認証装置１ａと同様である。
【００５４】
音声出力部４は、音声信号を音声に変換する装置である。音声出力部４としては、例えば、スピーカ等を用いることができる。
【００５５】
音声制御部１１ｅは、音声を音声出力部４に出力させる制御を行う。本実施形態では、音声制御部１１ｅは、図４中のステップＳ１１の処理が開始されてからステップＳ１２の処理が開始される直前まで、音声出力部４に１秒毎に短い電子音を出力させる。この電子音の出力により、ユーザーが上述した接触時間を把握することを支援することができる。したがって、例えば、ユーザーが接触時間を９秒にして数字「９」を入力しようとした場合でも、ユーザーが接触時間を５秒にして数字「５」を入力しようとした場合と同等程度に、実際の接触時間と目標とした時間との差を小さくできることが期待できる。このため、第１実施形態とは異なり、接触時間に関する１〜５秒の限定を廃止して、暗証番号の各桁の数字を１〜９の中から選択できるようにしてもよい。
【００５６】
音声によってユーザーが上述した接触時間を把握することを支援することに代えて、又は、音声によってユーザーが上述した接触時間を把握することを支援することに加えて、表示部２の表示によってユーザーが上述した接触時間を把握することを支援してもよい。例えば、表示制御部１１ａによる制御によって、表示部２の表示に１秒毎に変化が起こるようにしてもよい。
【００５７】
なお、第１実施形態においては、実際の接触時間と目標とした時間との差に関する懸念はあるものの、ユーザーが時計を見ながら入力操作を行うこと等も考えられるので、第１実施形態においても第２実施形態と同様に接触時間に関する１〜５秒の限定を廃止してもよい。
【００５８】
以上説明した本実施形態に係る認証装置１ｂは、第１実施形態に係る認証装置１ａと同様に、認証情報が設定された後の認証動作において、第１の認証方式に対応する入力を促す入力画面を表示部２に表示させ、第１の認証方式とは異なる第２の認証方式での認証を実行することにより、セキュリティ性を高めることができる。
【００５９】
さらに本実施形態に係る認証装置１ｂは、入力部３に指を接触させている接触時間をユーザーが把握することを支援することができるので、接触時間に基づく入力操作における暗証番号の誤入力を低減することができる。
【００６０】
＜３．第３実施形態＞
本実施形態における認証装置の構成は第１実施形態と同様である。第１実施形態では入力情報生成部１１ｂが接触時間に基づいて入力情報を生成したのに対して、本実施形態では入力情報生成部１１ｂが接触の回数に基づいて入力情報を生成するようにする。
【００６１】
例えば図５に示す入力画面において、画像１０１が１回タッチされた後に決定キーＫ２がタッチされ、その後画像１０２が２回タッチされた後に決定キーＫ２がタッチされ、画像１０３が３回タッチされた後に決定キーＫ２がタッチされ、画像１０４が４回タッチされた後に決定キーＫ２がタッチされた場合、入力情報生成部１１ｂは、暗証番号「１２３４」を示す入力情報を生成すればよい。
【００６２】
以上説明した本実施形態に係る認証装置は、第１実施形態に係る認証装置１ａと同様に、認証情報が設定された後の認証動作において、第１の認証方式に対応する入力を促す入力画面を表示部２に表示させ、第１の認証方式とは異なる第２の認証方式での認証を実行することにより、セキュリティ性を高めることができる。
【００６３】
さらに本実施形態に係る認証装置は、実際の接触時間と目標とした時間との差に起因する暗証番号の誤入力が発生しないため、暗証番号の誤入力を低減することができる。
【００６４】
＜４．第４実施形態＞
本実施形態における認証装置の構成は第１実施形態と同様である。第１実施形態では暗証番号認証が暗証番号のみを用いた認証であったのに対して、本実施形態では暗証番号認証を、暗証番号及びその暗証番号に紐づけられた付属情報を用いた認証とする。この付属情報は、入力情報の一部、認証情報の一部となる。
【００６５】
例えば、暗証番号「１２３４」に対して、「１」に紐づけられた付属情報を「接触面積大」、「２」に紐づけられた付属情報を「接触面積小」、「３」に紐づけられた付属情報を「接触面積小」、「４」に紐づけられた付属情報を「接触面積大」にすればよい。
【００６６】
そして、設定入力画面では、「接触面積大」と「接触面積小」を選択することができる選択キーを設け、図５に示す入力画面では、タッチする指の種類（例えば親指や小指など）やタッチする指の部位（例えば指の腹や指の側面など）を適宜変えることによって、「接触面積大」と「接触面積小」のいずれかを入力するようにすればよい。
【００６７】
以上説明した本実施形態に係る認証装置は、第１実施形態に係る認証装置１ａと同様に、認証情報が設定された後の認証動作において、第１の認証方式に対応する入力を促す入力画面を表示部２に表示させ、第１の認証方式とは異なる第２の認証方式での認証を実行することにより、セキュリティ性を高めることができる。
【００６８】
さらに本実施形態に係る認証装置は、暗証番号及びその暗証番号に紐づけられた付属情報を用いた認証が実行されるので、暗証番号のみを用いた認証よりもセキュリティ強度を向上させることができる。
【００６９】
＜５．第５実施形態＞
本実施形態における認証装置の構成は第１実施形態と同様である。第１実施形態では図３に示す設定入力画面が用いられたのに対して、本実施形態では設定入力画面においても入力画面と同様に、指紋認証に対応する態様で認証情報の設定を促す表示画面とし、認証情報生成部１１ｄは、暗証番号の情報である認証情報を生成するようにする。
【００７０】
以上説明した本実施形態に係る認証装置は、第１実施形態に係る認証装置１ａと同様に、認証情報が設定された後の認証動作において、第１の認証方式に対応する入力を促す入力画面を表示部２に表示させ、第１の認証方式とは異なる第２の認証方式での認証を実行することにより、セキュリティ性を高めることができる。
【００７１】
さらに本実施形態に係る認証装置は、ユーザーに、認証情報の設定段階で、指紋認証に対応する態様で認証情報の設定を促す表示画面を利用して暗証番号を設定する経験をつますことができる。したがって、ユーザーが、指紋認証に対応する入力を促す表示画面を利用して暗証番号を入力する際にユーザーが戸惑う可能性を低減することができる。
【００７２】
＜６．第６実施形態＞
図８は本実施形態に係る認証装置１ｃの構成を示す図である。認証装置１ｃは、通信部１３を備え、制御部１１が表示部２及び入力部３と接続されておらず、認証装置１ｃによってセキュリティ性を高めることができることができる機器の状況に関する情報を制御部１１が取得する点で認証装置１ａと相違し、それ以外の点については認証装置１ａと同様である。
【００７３】
ユーザー端末５は、ユーザーが携帯する可搬型の電子機器であり、上述した表示部２に相当する表示部と、上述した入力部３に相当する入力部と、通信部１３と通信可能な通信部と、を備える。認証装置１ｃの制御部１１は、通信部１３及びユーザー端末５の通信部を介して、ユーザー端末５の表示部及び入力部との間でデータのやり取りができる。ユーザー端末５としては、例えば、スマートフォン、タブレット、携帯電話、ＰＤＡ（Personal Digital Assistant）等を用いることができる。
【００７４】
認証装置１ｃによってセキュリティ性を高めることができることができる機器としては、例えば車両のドアロック制御機器が挙げられる。
【００７５】
例えば車両が通勤に使用されている場合、車両のドアロック制御機器は朝夕の決まった時間帯に使用されるので、その朝夕の決まった時間帯には表示制御部１１ａはユーザー端末５の表示部に図５に示す入力画面を表示させずに一般的なテンキー入力画面を表示させるようにし、盗難の危険性が高い真夜中等には表示制御部１１ａはユーザー端末５の表示部に図５に示す入力画面を表示させるようにすればよい。これにより、車両のドアロック制御機器が通常使用される時間帯にはユーザーの利便性を向上させることができるとともに、車両のドアロック制御機器通常使用されない時間帯には防犯性を向上させることができる。
【００７６】
なお、認証装置１ｃがナビゲーション装置等から車両の位置情報を取得するようにすれば、車両が通常使用されている地域では表示制御部１１ａはユーザー端末５の表示部に図５に示す入力画面を表示させずに一般的なテンキー入力画面を表示させるようにし、車両が通常使用されていない地域では表示制御部１１ａはユーザー端末５の表示部に図５に示す入力画面を表示させるようにすればよい。車両が通常使用されている地域が比較的治安の良い地域であり、車両が通常使用されていない地域に比較的治安の悪い地域が含まれ得る場合に特に有用である。
【００７７】
以上説明した本実施形態に係る認証装置１ｃは、認証装置１ｃによってセキュリティ性を高めることができることができる機器が特定の状況であれば、認証情報が設定された後の認証動作において、第１の認証方式に対応する入力を促す入力画面をユーザー端末５の表示部に表示させ、第１の認証方式とは異なる第２の認証方式での認証を実行することにより、セキュリティ性を高めることができる。一方、本実施形態に係る認証装置１ｃは、認証装置１ｃによってセキュリティ性を高めることができることができる機器が特定の状況でなければ、認証情報が設定された後の認証動作において、第２の認証方式に対応する入力を促す入力画面をユーザー端末５の表示部に表示させることにより、ユーザーの利便性を向上させることができる。つまり、防犯性の向上とユーザーの利便性の向上との両立を図ることができる。
【００７８】
＜７．その他＞
本明細書中に開示されている種々の技術的特徴は、上記実施形態のほか、その技術的創作の主旨を逸脱しない範囲で種々の変更を加えることが可能である。また、本明細書中に示される複数の実施形態及び変形例は可能な範囲で組み合わせて実施されてよい。
【００７９】
例えば、上述した実施形態では、指の腹を模した画像が４つ表示されているが、指の腹を模した画像を１つのみ表示し、例えば暗証番号の各桁に関する入力操作が完了する度にユーザーが決定キーＫ２をタッチするようにしてもよい。これにより、より一層あたかも指紋認証を実行するかのように思わせることができる。
【００８０】
また、表示部２の入力画面においてテンキーの各数字キーの位置をランダムに変更する表示を行って、あたかも暗証番号認証を実行するかのように思わせ、入力情報及び登録情報をそれぞれ、表示部２の表示内容と関係の無い入力部３がタッチされる経路に関する情報にしてもよい。この場合、第１の認証方式での認証において確認される対象は数字であり、第２の認証方式での認証において確認される対象は経路である。
【符号の説明】
【００８１】
１ａ、１ｂ、１ｃ  認証装置
２  表示部
３  入力部
４  音声出力部
５  ユーザー端末
１１  制御部
１２  記憶部
１３  通信部
【図１】
2019046139.tif 000003
【図２】
2019046139.tif 000004
【図３】
2019046139.tif 000005
【図４】
2019046139.tif 000006
【図５】
2019046139.tif 000007
【図６】
2019046139.tif 000008
【図７】
2019046139.tif 000009
【図８】
2019046139.tif 000010